(57)【要約】      （修正有）【課題】衣類や袋物などの開口部分の係止に際して、係止部の任意の箇所を、縫合やカシメ等の加工を伴うことなく、着脱自在に、かつ確実に係止することのできる留め具を提供する。【解決手段】相互を着脱自在に係止する雌ホック９と雄ホック８からなる着脱部を有する少なくとも一対の留め部材ａ，ｂからなり、留め部材のそれぞれが一面にピアス針２を設けた基板１と、ピアス針の貫通する底板５と貫通したピアス針先端部を覆うための椀状体からなるピアスキャッチ３と、を具える。着脱部がマグネット同士又はマグネットと磁性体との組み合わせから構成されるのが好ましい。【選択図】図１
0003196993.tif 000002
【実用新案登録請求の範囲】
【請求項１】
布等の面材を貫通させるピアス針を設けた一対の基板と、
前記一対の基板に対応して設けられ且つ前記ピアス針を挟持するピアスキャッチと、
一方の基板に対応するピアスキャッチの外周に第一着脱片を設け、他方の基板に前記ピアスキャッチを囲む形状の第二着脱片を設け、前記第一着脱片と第二着脱片との着脱の際に必要となる力が、前記ピアスキャッチがピアス針を保持する力より小さくなるように設定された着脱手段と、
を備えたことを特徴とする留め具。
【請求項２】
前記第一着脱片及び第二着脱片がマグネット同士又はマグネットと磁性体との組み合わせから構成されることを特徴とする請求項１に記載の留め具。
【請求項３】
前記ピアスキャッチは、
ピアス針が挿通される筐体と、
当該筐体内において、先端に押圧部材が設けられ且つスプリングにより一方向に付勢されると共に、押圧を解放する方向に指で可動させ得る摘み部材と、
筐体側に設けられた傾斜壁と、
前記挿通したピアス針を挟むように且つ前記押圧部材と傾斜壁との間に配置した複数の球体と、
から構成されることを特徴とする請求項１又は２に記載の留め具。
【請求項４】
前記ピアスキャッチまたは基板に、アクセサリーの着脱手段を設けたことを特徴とする請求項１〜３のいずれか一つに記載の留め具。
【請求項５】
前記ピアスキャッチにピアス針の着脱操作部分を少なくとも覆うキャップを設けたことを特徴とする請求項１〜４のいずれか一つに記載の留め具。
【考案の詳細な説明】
【技術分野】
【０００１】
本考案は、ピアスキャッチ付きピアス針を用いた衣類や袋物等の開口部分を自在に開閉するための留め具に関するものである。
【背景技術】
【０００２】
従来から、特許文献１に記載されている取っ手が知られている。この取っ手は、摘み部の両端に二重にリングを設け、当該特許文献１の図２５に示すように、このリングに所定の形に折り畳んだ風呂敷の端部を固定し、全体としてハンドバッグとして用いるものである。
【先行技術文献】
【特許文献】
【０００３】
【特許文献１】特開２００８−１１０１９６号公報
【考案の概要】
【考案が解決しようとする課題】
【０００４】
しかしながら、上記取っ手と風呂敷とを用いてハンドバッグを形成した場合、物を出し入れする開口部が開いたままになる。一方、通常の金具やファスナーを用いる場合、カシメ・縫合等の加工作業を必要とするので、大変面倒であるという問題点があった。
【課題を解決するための手段】
【０００５】
上記の問題点を解決するために、本考案の留め具は、布等の面材を貫通させるピアス針を設けた一対の基板と、前記一対の基板に対応して設けられ且つ前記ピアス針を挟持するピアスキャッチと、一方の基板に対応するピアスキャッチの外周に第一着脱片を設け、他方の基板に前記ピアスキャッチを囲む形状の第二着脱片を設け、前記第一着脱片と第二着脱片との着脱の際に必要となる力が、前記ピアスキャッチがピアス針を保持する力より小さくなるように設定された着脱手段とを備えたことを特徴とする。前記第一着脱片及び第二着脱片はマグネット同士又はマグネットと磁性体との組み合わせから構成するのが好ましい。
【０００６】
また、本考案の留め具の前記ピアスキャッチは、ピアス針が挿通される筐体と、当該筐体内において、先端に押圧部材が設けられ且つスプリングにより一方向に付勢されると共に、押圧を解放する方向に指で可動させ得る摘み部材と、筐体側に設けられた傾斜壁と、前記挿通したピアス針を挟むように且つ前記押圧部材と傾斜壁との間に配置した複数の球体とから構成されることを特徴とする。
【０００７】
また、前記ピアスキャッチまたは基板に、アクセサリーの着脱手段を設けるのが好ましい。また、前記ピアスキャッチにピアス針の着脱操作部分を少なくとも覆うキャップを設けるのが好ましい。
【図面の簡単な説明】
【０００８】
【図１】本考案の留め具（Ａタイプ）の構造を示す断面図である。
【図２】図１に示した留め具をハンドバッグ等の開口部に取り付けた状態を示す説明図である。
【図３】実施の形態２に係る留め具（Ｂタイプ）を示す部分破断側面図である。
【図４】図３に示した留め具の使用状態を説明図である。
【図５】本考案の実施の形態３に係る留め具（Ｃタイプ）の構造を示す部分破断側面図である。
【図６】図５に示した留め具の使用状態を示す説明図である。
【図７】実施の形態４に係る留め具（Ｂタイプ）を示す部分破断側面図である。
【図８】図７に示した留め具の使用状態を示す説明図である。
【図９】実施の形態５に係る留め具（Ｄタイプ）の構造を示す部分破断側面図である。
【図１０】図９に示した留め具の使用状態を示す説明図である。
【図１１】実施の形態１〜３に係るピアスキャッチ３の構造を変更したピアスキャッチを示す部分破断側面図である。
【図１２】実施の形態４および５に係るピアスキャッチの構造を変更したピアスキャッチを示す断面図である。
【図１３】図１２に示す留め具にアクセサリーを取り付けた状態を示す説明図である。
【図１４】実施の形態７に係るピアスキャッチを示す断面図である。
【図１５】実施の形態８に係る留め具を示す断面図である。
【図１６】上記実施の形態１〜７に示した留め具の使用態様を示す説明図である。
【図１７】トートバッグに留め具を適用した例を示す説明図である。
【図１８】マフラーやストールに留め具を適用した例を示す説明図である。
【図１９】留め具の留め部材を一つだけ使用する場合の例を示す説明図である。
【図２０】図１９に示した留め部材の使用状態を示す説明図である。
【考案を実施するための形態】
【０００９】
以下に、本考案の実施の形態を添付する図面を参照して、留め具の留め具部材の係合タイプ別に説明する。なお、各実施の形態ではタイプはＡ、Ｂ、ＣおよびＤタイプのものについて説明したが、本考案の留め具はこれらに限定されるものでない。
【００１０】
図１は、本考案の留め具（Ａタイプ）の構造を示す部分破断側面図である。留め具は一対の留め部材ａ，ｂからなる。これらの留め部材ａ，ｂは、裏面にピアス針２を具えた基板1と、ピアス針２を保持するピアスキャッチ３とをそれぞれ備える。ピアスキャッチ３は、前記ピアス針２の貫通孔４を有する底面部材５と、底面部材５から延伸し前記ピアス針２の先端部を挟持する挟持片７（キャッチ部材）と、底面部材５及び挟持片７を内部に収める筐体６とを有する。
【００１１】
また、留め部材ａの基板１の表面には、着脱部を構成する雌ホック９が設けられている。留め部材ｂの基板1の表面には、着脱部を構成する雄ホック８が設けられている。前記ピアスキャッチ３は、上記構成の他、公知の構造のものを採用できる。
【００１２】
図２は、図１に示した留め具をハンドバッグ等の開口部に取り付けた状態を示す説明図である。まず、それぞれの留め部材ａ，ｂの基板1に設けられたピアス針２をピアスキャッチ３から抜き取った状態にしておく。次いで、それぞれのピアス針２を前記開口部の係止しようとする箇所の対向する布地１０に貫通させ、続いて当該貫通したピアス針２の先端部をピアスキャッチ３の貫通孔４を通し、留め部材ａ，ｂを布地１０に固定させる。留め部材ａ，ｂは、前記開口部の布地１０の対向面にそれぞれ設ける。そして、開口部で対向する留め部材ａ，ｂの雄ホック８および雌ホック９を嵌合させることで、当該開口部を閉じることができる。雄ホック８および雌ホック９を引き離すことで、開口部を開くことができる。
【００１３】
雌ホック９のばねの強さにより、雄ホック８および雌ホック９の嵌合の強さが異なるものとなる。雌ホック９のばねの強さが大きいと、雌ホック９から雄ホック８を取り外す際、雌ホック９と雄ホック８が外れる前にピアスキャッチ３がピアス針２から外れてしまう。即ち、ピアスキャッチ３を摘まんで引っ張った際、ピアスキャッチ３がピアス針２を保持する力より雌ホック９から雄ホック８を外す力のほうが大きいと、ピアスキャッチ３からピアス針２が抜けてしまい、開口部を開口できない。このため、本考案では、雌ホック９のばねの強さを、雄ホック８および雌ホック９の着脱の際に必要となる力が、ピアスキャッチ３がピアス針２を保持する力より小さくなるように、設定するものとする。
【００１４】
実施の形態２
図３は、実施の形態２に係る留め具（Ｂタイプ）を示す部分破断側面図である。図４は、図３に示した留め具の使用状態を説明図である。なお、実施の形態１に係る留め具と同じ構成要素には同じ符号を付してその説明を省略する。本実施の形態２に係る留め具は、図３に示される留め具の基板１自体をマグネットで形成した点に特徴がある。
【００１５】
このように基板１自体をマグネットで形成することで、基板１同士を簡単に着脱できる。なお、基板１の一方をマグネットで形成し、他方を磁性体で形成しても良い。また、前記マグネットは、基板１の全面または一部に設けても良い（図示省略）。
【００１６】
また、本考案の留め具を布地１０に取り付けて使用する場合、基板１の厚さは、布地１０と布地１０との間に空間が生じないような厚さにすることが好ましい。さらに、基板１の平面形状は、円形、四角形、矩形など様々な形状であっても良い。また、基板１から延出するピアス針２の数も基板１の形状に依り、１個または複数個設けても良い。なお、複数個のピアス針２を用いる場合には、それぞれのピアス針２に対応した複数のピアスキャッチを用いるものとする。
【００１７】
実施の形態３
図５は、本考案の実施の形態３に係る留め具（Ｃタイプ）の構造を示す部分破断側面図である。この留め具は、実施の形態２のＢタイプの留め具の基板１の一方をマグネットから磁性材料に代えたものである。さらに、本実施の形態３では、基板１の着脱面の一方に凹部１１、他方に前記凹部１１に嵌合する凸部１０を形成した点に特徴がある。
【００１８】
図６は、図５に示した留め具の使用状態を示す説明図である。この留め具では、実施の形態１と同様の手順で、ピアス針２およびピアスキャッチ３を使用して、衣類等の開口部の布地１０に留め部材ａ，ｂの基板１を取り付ける。基板１がそれぞれマグネットおよび磁性体によって形成されているので相互の吸引作用によって確実に吸着し、前記開口部を閉じることができる。
【００１９】
また、基板１の凸部１０と凹部１１とが嵌合されるので、基板１同士が面方向にずれることなく正確に重なって吸着する。また、吸着した状態で基板１同士が面方向にずれるのを防止できるので、開口部にずれる力が働いた際に開いてしまうのを防止できる。なお、凸部１０および凹部１１の形状や数は状況に応じて任意に定めることができる。
【００２０】
実施の形態４
図７は、実施の形態４に係る留め具（Ｂタイプ）を示す部分破断側面図である。この留め具は、実施の形態２，３の留め具のピアスキャッチ３とは異なるボールキャッチ構造とした点に特徴がある。
【００２１】
この留め具は、底面部材５に前記ピアス針２を挿通する挿通口４を設けた筐体６と、筐体６の天井部分に貫通配置され且つ指で摘まんで軸方向に可動の摘み部材１５と、筐体６に内設固定された筒状体１８とから構成されている。摘み部材１５は、軸方向中央にピアス針２を通す貫通孔１４を有する。また、摘み部材１５の端部には、ワッシャ状の押圧部材１６が設けられる。押圧部材１６と筐体６との間にはスプリング２０が配置され、このスプリング２０により押圧部材１６が底面部材５方向に付勢される。前記筒状体１８は、天井方向に向かって径が拡大する円錐台形の傾斜壁１９を有する。前記筒状体１８は、筐体６と一体化しても良い。この傾斜壁１９と前記押圧部材１６との間には、ピアス針２を挟持するための球体１７が複数配置されている。
【００２２】
図８は、図７に示した留め具の使用状態を示す説明図である。摘み部材１５の端部のフランジを摘まんで引っ張ると、押圧部材１６と傾斜壁１９による球体１７の拘束が解かれる。この状態で、ピアス針２を前記筐体６の挿通口４から差し込むと、当該ピアス針２が対向する球体１７の間を通って摘み部材１５の貫通孔１４に挿入される。
【００２３】
次に、前記摘み部材１５を手から離すと、スプリング２０の作用で前記押圧部材１６により球体１７が押され、続いて当該球体１７が傾斜壁１９に沿って中心方向に押される。これにより、球体１７がピアス針２に押し付けられ、当該球体１７がピアス針２を挟持する。この状態で前記ピアス針２を抜こうとすると、球体１７が前記傾斜壁１９により当該ピアス針２をより挟持する方向に押されるので、ピアス針２が抜けることはない。
【００２４】
一方、ピアス針２を抜く場合、前記摘み部材１５のフランジを摘まんで引っ張ると、球体１７によるピアス針２の挟持が解かれ、当該ピアス針２を容易に引き抜くことができる。
【００２５】
以上のように、本実施の形態４に係る留め具は、球体１７等によりピアス針２をしっかり挟持するので、開口部の開閉時にピアスキャッチ３が外れることない。一方、摘み部材１５を引っ張ることで簡単にピアスキャッチ３を取り外すことができる。
【００２６】
実施の形態５
図９は、実施の形態５に係る留め具（Ｄタイプ）の構造を示す部分破断側面図である。この留め具の一方の留め部材ａは、筐体６の外周中央付近にリング状マグネット２２（第一着脱片）を設けると共に、基板１を平板状とし且つその中央からピアス針２を延出させた構造である。基板１は非磁性体でも磁性体でも良い。ピアスキャッチ３の内部構造は実施の形態４と同様であるのでその説明を省略して同一構成要素には同一符号を付する。他方の留め部材ｂは、平板状の基板１の表面にドーナッツ状部材２１（第二着脱片）を設けた構成である。平板１の中央からはピアス針２が延出する。ピアス針２はピアスキャッチ３により挟持される。前記ドーナッツ状部材２１は、磁性体の金属板から成形される。ドーナッツ状部材２１は、中実でも良いし、板状のリング体でも良い（図示省略）。
【００２７】
図１０は、図９に示した留め具の使用状態を示す説明図である。一方の留め部材ｂのドーナッツ状部材２１を他方の留め部材ａの筐体に被せるように、当該ドーナッツ状部材２１をリング状マグネット２２に吸着させる。リング状マグネット２２は筐体６の外側に設けられることで、筐体６がリング状マグネット２２の一方向側に突出するので、前記吸着状態で、筐体６がドーナッツ状部材２１の内部に入り込む。これにより、留め部材ａ，ｂ同士が正確な位置で吸着すると共に、吸着した状態でドーナッツ状部材２１とリング状マグネット２２とが面方向にずれるのを防止できるので、開口部が開いてしまうのを防止できる。
【００２８】
また、一方の留め部材ａの基板１を平板状にすることで、ピアスキャッチ３が外方に突出する場合と比べ、物品や手指などが引っ掛る問題が生じ難くなる。さらに、この基板１に宝石などの装飾材２３を容易に設けることもできる。なお、本実施の形態では、ピアスキャッチ３は、実施の形態４で示されるタイプが用いられたが、ピアスキャッチ３は、実施の形態１乃至３で示されたどのタイプを使用してもよい。また、ドーナッツ状部材２１をマグネットで構成しても良い。また、リング状マグネット２２は、ドーナッツ状部材２１をマグネットの場合には、磁性体で構成しても良い。
【００２９】
実施の形態６
図１１は、実施の形態１〜３に係るピアスキャッチ３の構造を変更したピアスキャッチを示す部分破断側面図である。図１２は、実施の形態４および５に係るピアスキャッチの構造を変更したピアスキャッチを示す断面図である。
【００３０】
図１１に示すピアスキャッチ３には、底面部材５の下方に円筒体２５が設けられ、その外周壁の端部付近にスナップピン溝２１が設けられる。円筒体２５には、中心が開口した円板状の止めリング２４が設けられる。スナップピン２６は、棒状の金属をＣ字形に曲げ成形したものであり、拡げることでスナップピン溝２１に嵌め込むことができる。このスナップピン２６により、止めリング２４が円筒体２５から脱落しないようになる。止めリング２４と筐体６との間には、装飾材２３を嵌持する間隔を形成する。
【００３１】
図１２に示すピアスキャッチ３では、筐体６の外壁中間面にフランジ部２７が側方に張り出して形成され、且つ、その下方に円筒部位２５が設けられる。円筒部位２５の端部付近にはスナップピン溝２１が設けられる。スナップピン２６は、棒状の金属をＣ字形に曲げ成形したものであり、拡げることでスナップピン溝２１に嵌め込むことができる。このスナップピン２６により、止めリング２４が円筒部位から脱落しないようになる。止めリング２４とフランジブラシ２７との間には、装飾材２３を嵌持する間隔を形成する。
【００３２】
図１３は、図１２に示す留め具にアクセサリーを取り付けた状態を示す説明図である。同図の例では、花の形の平面板からなるアクセサリー２３を示す。このアクセサリー２３の板厚は、フランジと止めリングとの間隔より小さいものとする。スナップピンを外して止めリングを円筒部位から抜く。そして、中央に開口が形成されたアクセサリー２３を挿入する。アクセサリー２３の中央に設けた開口に前記円筒部位を挿入する。そして、止めリング２６を円筒部位に取り付け、スナップピンをスナップピン溝２１に嵌め込み、止めリングとフランジでアクセサリー２３を固定する。
【００３３】
アクセサリー２３の形状は、円筒体又は円筒部位に挿入可能であればどのような形状でも良い。
【００３４】
なお、上記図１１に示した留め具においても、上記同様の手順でアクセサリー２３を取り付けることができる（図示省略）。まず、スナップピンを外して止めリングを円筒体から抜き、中央に開口が形成されたアクセサリー２３を挿入する。そして、この花の形状の中央に設けた開口に前記円筒体を挿入し、止めリング２６を円筒体に取り付ける。最後に、スナップピンをスナップピン溝２１に嵌め込み、止めリングと底面部材でアクセサリー２３を固定する。
【００３５】
実施の形態７
図１４は、実施の形態７に係るピアスキャッチを示す断面図である。このピアスキャッチは、実施の形態４乃至６に示した留め具のピアスキャッチに誤動作防止のキャップ３０を設けた点に特徴がある。ピアスキャッチの筐体の外側面には、ネジが形成される。キャップ３０は、内側端部近傍に筐体のネジに対応するネジが形成され、ピアス針２の着脱操作部分である摘み部材を覆うように前記筐体に取り付け可能である。キャップ３０の全体形状は、半球形状でも良いし、蝶形の摘み易い形状としても良い。これにより、前記摘み部材に不用意に接触してピアス針が解放されるのを防止できる。なお、キャップ３０は摘み部材に不用意に接触しないためのものであるから、当該摘み部材の周囲を囲むことができれば、一部が開口していても良い。
【００３６】
実施の形態８
図１５は、実施の形態８に係る留め具を示す断面図である。この留め具では、留め部材aの基板１の表面に凸部３１を設け、留め部材ｂの基板１の表面に凹部３２を設ける。凹部は、基板１に形成した突起部と、この突起部の周囲に嵌めた当該突起部より厚いドーナッツ状の磁石により構成される。基板１同士を吸着する際は、前記凸部３１を凹部３２に嵌め合わせる。なお、ピアスキャッチ３は、実施の形態４〜７に示したものと同じ構造であるが、実施の形態１乃至３に示したものでも良い（図示省略）。
【００３７】
以上、実施の形態１〜８に示したように、本考案の留め具は、衣類や袋物の開口部を釦や金具などの縫合やカシメ加工を施すことなく、ピアス針２を開口部の両側の任意の箇所に貫通させた後、付属するピアスキャッチによって固定させることができるので、着脱が容易であり、ピアス針２先端がピアスキャッチ３により包含されているので、取り扱いに際して刺し傷の発生などを起こすことがなく安全である。また、着脱自在でかつポータブルであるので、手持ちの風呂敷などを折り畳んで簡易バックとして使用する際の開口部の係止のための留め具として使用することが出来るので即応性も高い。
【００３８】
（使用態様の例）
図１６は、上記実施の形態１〜８に示した留め具の使用態様を示す説明図である。この留め具は、取っ手の両側に設けた二重のリングに風呂敷を固定し、ハンドバッグＢを形成する。そして、図１６（ａ）に示すように、このハンドバッグＢの開口部に留め具ａ，ｂを取り付ける。取付方法は、上記実施の形態１〜８に示した通りである。続いて、図１６（ｂ）に示すように、留め具ａ，ｂ同士を留合わせて開口部を閉じる。
【００３９】
図１７は、トートバッグに留め具を適用した例を示す説明図である。同様に、トートバッグＴの開口部に留め具ａ，ｂを取り付け、留め具ａ，ｂ同士を留合わせて開口部を閉じる。
【００４０】
図１８は、マフラーやストールに留め具を適用した例を示す説明図である。例えば、図１８（ａ）に示すように、マフラーＳの２か所に留め具ａ，ｂを取り付け、マフラーＳを首に巻いて留め具ａ，ｂ同士を留め合わせる。これにより、マフラーＳを簡単に首回りに固定できる。また、１８（ｂ）に示すように、ストールＳの２か所に留め具ａ，ｂを取り付け、ストールＳを頭にかぶり留め具ａ，ｂ同士を留め合わせる。これにより、ストールＳを簡単にかぶることができる。
【００４１】
図１９は、留め具の留め部材を一つだけ使用する場合の例を示す説明図である。図２０は、図１９に示した留め部材の使用状態を示す説明図である。この留め部材ａは、基板１の表面にマグネット１ａを設けた構成である。この留め部材ａをハンドバッグＢ等の開口部に上記同様の方法により取り付ける。また、この留め部材ａに対向する位置に磁性体のクリップ５０を挟む。このクリップ５０は、磁性体であるため前記留め部材のマグネット１ａに吸着する。このクリップ５０の一面には、アクセサリー５１を装着するようにしても良い。なお、クリップ５０の形状は、前記マグネット１ａが吸着できる面を有するものであれば、図１９に示したものに限定されない。
【符号の説明】
【００４２】
１  基板
２  ピアス針
３  ピアスキャッチ
４  貫通孔
５  底面部材
６  筐体
７  挟持片
【図１】
0003196993.tif 000003
【図２】
0003196993.tif 000004
【図３】
0003196993.tif 000005
【図４】
0003196993.tif 000006
【図５】
0003196993.tif 000007
【図６】
0003196993.tif 000008
【図７】
0003196993.tif 000009
【図８】
0003196993.tif 000010
【図９】
0003196993.tif 000011
【図１０】
0003196993.tif 000012
【図１１】
0003196993.tif 000013
【図１２】
0003196993.tif 000014
【図１３】
0003196993.tif 000015
【図１４】
0003196993.tif 000016
【図１５】
0003196993.tif 000017
【図１６】
0003196993.tif 000018
【図１７】
0003196993.tif 000019
【図１８】
0003196993.tif 000020
【図１９】
0003196993.tif 000021
【図２０】
0003196993.tif 000022